(57)【要約】【課題】データの膨大化を軽減し、かつ被介護者や患者などの対象者の健康に関する情報を迅速かつ正確に介護者間や医療従事者間で共有できるシステムを開発することを課題とする。【解決手段】予め複数の雛形映像ファイルをデータベースに保持しておき、電子カルテ作成者が当該データベースから対象者の様子に最も的確に表現している雛形映像ファイルを選択し、当該ファイルがその対象者の電子カルテに格納する電子カルテ作成装置、及びその作製方法を提供する。【選択図】図１
2008134792.tif 000002
【特許請求の範囲】
【請求項１】
対象者の様子を観察目的別に表現するための複数の雛形映像ファイルを保持するファイル保持部と、
保持されている雛形映像ファイルを対象者識別情報と関連付けて電子カルテ作成者に選択させるための選択入力受付部と、
選択入力受付部にて選択された雛形映像ファイルを電子カルテに格納する格納部と、
を有する電子カルテ作成装置。
【請求項２】
介護対象者の様子を介護対象行動別に表現するための複数の雛形動画映像ファイルを保持するファイル保持部と、
保持されている雛形動画映像ファイルを対象者識別情報と関連付けて電子カルテ作成者に選択させるための選択入力受付部と、
選択入力受付部にて選択された雛形動画映像ファイルを電子カルテに格納する格納部と、
を有する介護対象者用電子カルテ作成装置。
【請求項３】
介護対象者の様子を介護対象行動別に表現するための複数の雛形動画映像ファイルをその識別情報と関連付けて保持する保持するファイル保持部と、
保持されている雛形動画映像ファイルを対象者識別情報と関連付けて電子カルテ作成者に選択させるための選択入力受付部と、
選択入力受付部にて選択された雛形動画映像ファイルを識別する雛形動画映像ファイル識別情報を電子カルテに格納する格納部と、
を有する介護対象者用電子カルテ作成装置。
【請求項４】
介護対象者の様子を介護対象行動別に表現するための複数の雛形動画映像ファイルをその識別情報と関連付けて保持するファイル保持部と、
請求項３に記載の介護対象者用電子カルテ作成装置にて作成された電子カルテを取得する電子カルテ取得部と、
取得した電子カルテに含まれる雛形動画映像ファイル識別情報をキーとしてファイル保持部を検索して合致する雛形動画映像ファイルを抽出する抽出部と、
を有する介護対象者用電子カルテ閲覧装置。
【請求項５】
対象者の様子を観察目的別に表現するための複数の雛形映像ファイルを記録するファイル記録工程と、
ファイル記録工程で記録された複数の雛形映像ファイルを対象者識別情報と関連付けて電子カルテ作成者に選択させる選択入力受付工程と、
選択入力受付工程にて選択された雛形映像ファイルを電子カルテに格納する格納工程と、
からなる電子カルテ作成方法。
【請求項６】
介護対象者の様子を介護対象行動別に表現するための複数の雛形動画映像ファイルを記録するファイル記録工程と、
ファイル記録工程で記録された複数の雛形動画映像ファイルを対象者識別情報と関連付けて電子カルテ作成者に選択させるための選択入力受付工程と、
選択入力受付工程にて選択された雛形動画映像ファイルを電子カルテに格納する格納工程と、
からなる介護対象者用電子カルテ作成方法。
【請求項７】
介護対象者の様子を介護対象行動別に表現するための複数の雛形動画映像ファイルをその識別情報と関連付けて記録するファイル記録工程と、
ファイル記録工程で記録された複数の雛形動画映像ファイルを対象者識別情報と関連付けて電子カルテ作成者に選択させるための選択入力受付工程と、
選択入力受付工程にて選択された雛形動画映像ファイルを識別する雛形動画映像ファイル識別情報を電子カルテに格納する格納工程と、
からなる介護対象者用電子カルテ作成方法。
【請求項８】
介護対象者の様子を介護対象行動別に表現するための複数の雛形動画映像ファイルをその識別情報と関連付けて記録するファイル記録工程と、
請求項７に記載の介護対象者用電子カルテ作成方法にて作成された電子カルテを取得する電子カルテ取得工程と、
取得した電子カルテに含まれる雛形動画映像ファイル識別情報をキーとしてファイル記録工程で記録された雛形動画映像ファイルを検索して合致する雛形動画映像ファイルを抽出する抽出工程と、
からなる介護対象者用電子カルテ閲覧方法。
【発明の詳細な説明】
【技術分野】
【０００１】
本発明は、電子カルテ作成装置、及び電子カルテ閲覧装置に関する。
【背景技術】
【０００２】
従来、介護者や訪問担当員などの介護関係者の間では身障者や高齢者のような介護対象者のＡＤＬ（日常生活動作）に関する情報は、フェイスシートや意見書などの規定の文書によって共有されている。実際の介護に当たって介護者や訪問担当員などは、当該文書から介護対象者などのＡＤＬをイメージし、そのイメージに基づいた介護を被介護者に対して行っている。
【０００３】
しかし、文書による情報だけでは、介護対象者の身体状況などを正確に伝え難いため、介護者が当該情報に基づいた介護を具体的に反映させるまでに時間を要するという問題があった。また、たとえ同一の文書を見ても介護者間でイメージの差異が生じるため、ショートステイやデイサービスなどの緊急の利用に対応できないという問題もあった。これと同様の問題は、医師や看護士などの医療従事者が患者のバイタル情報などを共有する上でも発生し得る。
【０００４】
近年、医療分野においては電子カルテの導入が試みられている。電子カルテは、紙カルテと異なり、当該電子カルテ内に患者自身の映像を記録することが可能である。それ故、患者の詳細な情報などを映像イメージとして医療従事者間で共有できるという利点がある。このような電子カルテを利用した映像による情報の共有化については、特許文献１をはじめ多数の発明が開示されている。
【０００５】
しかし、電子カルテに患者自身の映像を記録する方法は、患者の様子を正確に伝達できる一方で、患者ごとにその様子を撮影しなければならない。様々なＡＤＬ情報の一つ一つを撮影し、記録するには多大な労力や時間を要する。また、必要なＡＤＬを記録上の理由だけで患者に行わせるとなると、患者に対する負担も大きい。さらに、そのようにして作成された電子カルテは、一ファイルあたりのデータ容量が大きく、操作上のレスポンスが遅くなる。また、当然患者の増加に伴って蓄積データも膨大となるという様々な問題がある。
【特許文献１】特開２００１−１７５７８７
【発明の開示】
【発明が解決しようとする課題】
【０００６】
本発明は、データの膨大化を軽減し、かつ介護対象者や患者などの対象者の健康に関する情報を迅速かつ正確に介護者間や医療従事者間で共有できるシステムを開発することに関する。
【課題を解決するための手段】
【０００７】
上記課題を解決するために、本発明者は、予め複数の雛形映像ファイルをデータベースに保持しておき、電子カルテ作成者が当該データベースから対象者の様子に最も的確に表現している雛形映像ファイルを選択し、当該ファイルをその対象者の電子カルテに格納する電子カルテ作成装置を開発した。本願は、当該開発された装置に基づく以下の発明を、課題を解決する手段として提供する。
【０００８】
第１の発明は、対象者の様子を観察目的別に表現するための複数の雛形映像ファイルを保持するファイル保持部と、保持されている雛形映像ファイルを対象者識別情報と関連付けて電子カルテ作成者に選択させるための選択入力受付部と、選択入力受付部にて選択された雛形映像ファイルを電子カルテに格納する格納部と、を有する電子カルテ作成装置である。
【０００９】
第２の発明は、介護対象者の様子を介護対象行動別に表現するための複数の雛形動画映像ファイルを保持するファイル保持部と、保持されている雛形動画映像ファイルを対象者識別情報と関連付けて電子カルテ作成者に選択させるための選択入力受付部と、選択入力受付部にて選択された雛形動画映像ファイルを電子カルテに格納する格納部と、を有する介護対象者用電子カルテ作成装置である。
【００１０】
第３の発明は、介護対象者の様子を介護対象行動別に表現するための複数の雛形動画映像ファイルをその識別情報と関連付けて保持するファイル保持部と、保持されている雛形動画映像ファイルを対象者識別情報と関連付けて電子カルテ作成者に選択させるための選択入力受付部と、選択入力受付部にて選択された雛形動画映像ファイルを識別する雛形動画映像ファイル識別情報を電子カルテに格納する格納部と、を有する介護対象者用電子カルテ作成装置である。
【００１１】
第４の発明は、介護対象者の様子を介護対象行動別に表現するための複数の雛形動画映像ファイルをその識別情報と関連付けて保持するファイル保持部と、前記第３の発明に記載の介護対象者用電子カルテ作成装置にて作成された電子カルテを取得する電子カルテ取得部と、取得した電子カルテに含まれる雛形動画映像ファイル識別情報をキーとしてファイル保持部を検索して合致する雛形動画映像ファイルを抽出する抽出部と、を有する介護対象者用電子カルテ閲覧装置である。
【００１２】
第５の発明は、対象者の様子を観察目的別に表現するための複数の雛形映像ファイルを記録するファイル記録工程と、ファイル記録工程で記録された複数の雛形映像ファイルを対象者識別情報と関連付けて電子カルテ作成者に選択させる選択入力受付工程と、選択入力受付工程にて選択された雛形映像ファイルを電子カルテに格納する格納工程と、からなる電子カルテ作成方法である。
【００１３】
第６の発明は、介護対象者の様子を介護対象行動別に表現するための複数の雛形動画映像ファイルを記録するファイル記録工程と、ファイル記録工程で記録された複数の雛形動画映像ファイルを対象者識別情報と関連付けて電子カルテ作成者に選択させるための選択入力受付工程と、選択入力受付工程にて選択された雛形動画映像ファイルを電子カルテに格納する格納工程と、からなる介護対象者用電子カルテ作成方法である。
【００１４】
第７の発明は、介護対象者の様子を介護対象行動別に表現するための複数の雛形動画映像ファイルをその識別情報と関連付けて記録するファイル記録工程と、ファイル記録工程で記録された複数の雛形動画映像ファイルを対象者識別情報と関連付けて電子カルテ作成者に選択させるための選択入力受付工程と、選択入力受付工程にて選択された雛形動画映像ファイルを識別する雛形動画映像ファイル識別情報を電子カルテに格納する格納工程と、からなる介護対象者用電子カルテ作成方法である。
【００１５】
第８の発明は、介護対象者の様子を介護対象行動別に表現するための複数の雛形動画映像ファイルをその識別情報と関連付けて記録する記録するファイル記録工程と、前記第７の発明に記載の介護対象者用電子カルテ作成方法にて作成された電子カルテを取得する電子カルテ取得工程と、取得した電子カルテに含まれる雛形動画映像ファイル識別情報をキーとしてファイル記録工程で記録された雛形動画映像ファイルを検索して合致する雛形動画映像ファイルを抽出する抽出工程と、からなる介護対象者用電子カルテ閲覧方法である。
【発明の効果】
【００１６】
本発明の電子カルテ作成装置とその作成方法によれば、対象者の様子を電子カルテに迅速に記録することができる。つまり、対象者ごとに様々な様子を撮影する労力や時間を要しない。また、雛形映像ファイルの選択は、電子カルテ作成者の観察記憶に基づいて行う事が可能である。それ故、記録のために対象者にその様子を行わせる必要はなく、対象者に対して不要な負担をかけることもない。
【００１７】
本発明の電子カルテ作成装置とその作成方法で作成された電子カルテによれば、選択された雛形映像ファイルにより対象者の様子をシミュレーションできる。映像イメージとして把握できることから、介護者間や医療従事者間で対象者の様子の正確かつ効率的な伝達と共有化が可能となる。その結果、各人のイメージの差異に基づいた介護、診療上の事故を未然に防ぐことができる。
【００１８】
本発明の介護対象者用電子カルテ作成装置の一つとその作成方法によれば、雛形動画映像ファイル識別情報を電子カルテに格納することで、電子カルテあたりのデータ容量の増大を抑えることができる。これによって、電子カルテのデータの膨大化を抑制することができる。
【００１９】
本発明の介護対象者用電子カルテ閲覧装置とその閲覧方法によれば、本発明の一の介護対象者用電子カルテ作成装置で作成された電子カルテを閲覧することができる。当該電子カルテは、雛形動画映像ファイル識別情報を有しており、雛形動画映像ファイルそのものは電送によりファイル保持部から抽出される。それゆえ、一の電子カルテあたりの記録容量は少ない。したがって、本発明の介護対象者用電子カルテ閲覧装置とその閲覧方法によれば、電子カルテの閲覧に際して、操作上のレスポンスを迅速化することができる。
【発明を実施するための最良の形態】
【００２０】
以下に、図を用いて各発明を実施するための最良の形態を説明する。本発明はこれらの実施の形態に何ら限定されるものではなく、その要旨を逸脱しない範囲において、種々なる態様で実施しうる。なお、実施形態１は主に請求項１、５について説明する。また、実施形態２は主に請求項２、６について説明する。また、実施形態３は主に請求項３、７について説明する。また、実施形態４は主に請求項４、８について説明する。
【００２１】
<<実施形態１>>
【００２２】
<実施形態１：概要>
実施形態１は、電子カルテ作成装置及びその作成方法に関する。図１は、本実施形態の電子カルテ作成装置において、対象者である山田太郎氏の電子カルテを作成する際の、雛形映像ファイル選択入力画面の一例を示している。この図で示すように、観察目的を示すボタン（０１０５、０１０１）の下層には対象者の様子を表現する複数の選択肢（０１０２）がある。電子カルテ作成者は、当該電子カルテの対象者の様子（この図では「移動・動作」、かつ「移動手段」を観察目的とした際に対象者で観察される様子）が、いずれの選択肢に適合するかを選択する。選択は、チェックボックスにチェックを入れるなどによって行う。例えば、図１では「自力通常走行」の選択肢のチェックボックス（０１０６）にチェックが入っていることから、「自力通常走行」が選択されていることを示す。選択に際しては、雛形映像ファイルを小画面（０１０４）でプレビューすることもできる。プレビューは、それぞれの選択肢のプレビューアイコン（０１０３ａ〜ｇ）をその選択肢を具体的映像として表現する雛形映像ファイルと関連付けておき、所望のプレビューアイコンをクリックして選択すればよい。例えば、図１の場合であれば、０１０３ａのアイコンをクリックすることで、「自力通常走行」の雛形映像をプレビューできる（本図においてプレビュー画面の図はない）。このようにして選択された雛形映像ファイルは、当該対象者の電子カルテに格納される。作成された電子カルテによれば、観察目的別に対象者の様子をシミュレートできることから、医療従事者や介護者・介助者はその対象者の情報を雛形映像によって共有することが可能となる。
【００２３】
<実施形態１：構成>
図２は、本実施形態の電子カルテ作成装置における機能ブロック図の一例である。この図で示すように本実施形態の電子カルテ作成装置（０２００）は、ファイル保持部（０２０１）と、選択入力受付部（０２０２）と、格納部（０２０３）とを有する。
【００２４】
・本発明でいう「電子カルテ」とは、従来のバイタル情報、看護記録、検査記録などを記録する電子カルテの概念に留まらず、ＡＤＬ情報、介護情報、介護記録などを含む、広く対象者の健康に関する諸々の個人情報を記録した電子データをいう。本発明の電子カルテは、様々な情報を有する複数の画面から構成されていてもよい。例えば、図３〜図１０は、図１で示した雛形映像ファイル選択入力画面にて入力された電子カルテ以外の電子カルテ画面の一例を示している。これらの図で示した電子カルテは、主として後述する実施形態２の介護対象者用の電子カルテに該当する。それぞれの画面について簡潔に説明をする。図３は、対象者自身の氏名、住所、年齢、性別などを記録する基本データ画面である。図４は、対象者の身体データを記録する身体計測画面である。図５は、対象者の家族構成を記録する家族情報画面である。図６は、対象者への処方薬の薬剤管理画面である。図７は、対象者の既往歴などを記録する医療情報画面である。図８は、対象者の主治医やかかりつけの病院データを記録する病院情報画面である。図９は、対象者の週間スケジュールを記録する週間介護画面である。そして、図１０は、対象者の１日のスケジュールを記録するデイ・スケジュール画面である。このように、雛形映像ファイルを選択する画面や選択された雛形映像を閲覧する画面は、当該電子カルテを構成する一部に該当する。なお、本発明の電子カルテの各画面は、閲覧画面だけでなく、入力画面を兼ねている場合がある。
【００２５】
以下、本実施形態の電子カルテ作成装置の構成について説明する。
【００２６】
（ファイル保持部の構成）
「ファイル保持部」（０２０１）は、複数の雛形映像ファイルを保持するデータベースとして構成された部である。
【００２７】
・「雛形映像ファイル」とは、雛形映像を記録したファイルをいう。雛形映像ファイルは、映像だけでなく音声を含んでいてもよい。例えば、雛形映像を音声で説明する場合などが該当する。ファイル形式は、特に限定しない。例えば、静止画であれば、ＰＩＣＴ、ＴＩＦＦ、ＧＩＦ、ＪＰＥＧ、ＢＭＰが挙げられる。この場合、音声は画像ファイルに関連付けておけばよい。また、動画であれば、ＡＶＩ、ＭＰＥＧ、Ｗｉｎｄｏｗｓ（登録商標）・Ｍｅｄｉａ（登録商標）、Ｑｕｉｃｋ  Ｔｉｍｅなどが挙げられる。
【００２８】
・「雛形映像」とは、対象者の様子を具体的に表現するための映像である。雛形映像を生成（製造又は撮影）する際には、対象者に代えてモデル人が当該様子を表現したものを利用することができる。このようなモデル人は、対象者の性別、年齢、体型、病状などを反映したものであることが望ましい。実際の対象者のイメージに近似させることで、閲覧者に対して、モデル人と対象者と結びつけてイメージし易くさせるためである。例えば、４５歳の女性と７３歳の男性の対象者において「移動手段」における対象者の様子が共に同じ「自力通常走行」であったとしても、前者の場合には中年女性のモデル人が、また後者の場合には老人男性のモデル人が当該対象者の様子を表現すると、より現実感が増し、対象者の様子をイメージしやすい。
【００２９】
一方、雛形映像は、コンピュータグラフィック（以下「ＣＧ」とする）などであってもよい。ＣＧとする利点は、観察目的に応じて動作を強調するように自在に映像を製造できるために閲覧者に注意深い観察を強要しなくとも良い点にある。またＣＧの性質上ノイズとなる情報は映像に含めなくてもすむために見やすい映像となる。さらに、基本的なライブラリーを準備することで適宜組み合せ、多種類の雛形映像を比較的容易に製造できるというメリットもある。さらには、雛形映像に欠陥や欠落などが見つかった場合にも修正が短時間ですむというメリットもある。また登場人物を無人格化することでモデル人の人格に影響を受けずに対象者の様子を理解できる点にもメリットがある。
【００３０】
雛形映像は、静止画であるか、動画であるかは問わない。静止画の場合は、対象者の様子の一つが一の画像で表現されるだけでなく、複数の画像で表現されてもよい。また、動画の場合は、対象者の様子を表現できる程度に、一つの動作として完結したものである必要がある。図２６を例に挙げて、これを説明する。図２６のＡ〜Ｆは、対象者の「排泄」における行動を知ることを観察目的とした時に、その対象者の様子が「場所：ポータブルトイレ」「排尿行為：自立」であった場合の雛形動画映像を構成する主なコマ映像を示している。この図で示すように、動画で「ポータブルトイレを用いて自力で排尿できる」という対象者の様子を表現する場合は、雛形映像ファイルは、対象者が排尿のために床から便座に座するまでの一連の行動を一つの動作として有する必要がある。
【００３１】
・「対象者」とは、本発明の電子カルテに個人情報が記録される対象の者であって、原則として、身体に何らかの異常や障害を有する者をいう。具体的には、医師などの治療を受ける患者、高齢者や身障者のような被介護者などが該当する。
【００３２】
・「対象者の様子」とは、対象者の身体的状態を示す情報、対象者の精神的状態を示す情報などをいう。また、対象者を取り巻く環境状態を示す情報を含んでも良い。
【００３３】
・「観察目的」とは、対象者を観察する観点であり、医者や介護者、介助者が患者や身障者などの対象者に対して施術し、介助し、その他の支援などを選択し、準備するために必要となる情報を得るための分類である。例えば身体障害者の移動介助の準備として車椅子が必要なのか、車椅子は不要だが杖が必要なのか、又は歩行器でなければいけないのか、などを知るために観察目的「移動・動作」が準備される。これを選択してさらに「移動手段」を選択すれば、その身体障害者の移動・動作のなかで具体的に移動手段が使われている（ないしは使われていない）様子が映し出されるように雛形映像ファイルは構成される。このように雛形映像ファイルは観察目的別に対象者の様子を表現するように構成されている。
【００３４】
その他、観察目的には、「食事」、「排泄」、「入浴」、「整容」、「その他」などを採用するとよい。これらはさらに細項目に分けられていてもよく「移動・動作」というカテゴリーの下には項目（０１０８）で列挙する観察目的としての行動状態、「麻痺」、「言語」、「立位」、「移動手段」、「居上動作」、「その他」などを採用すると、網羅的となって良い。このように観察目的を階層化することで、あるカテゴリーとして想定され得る全ての観察目的を網羅しておくことが好ましい。本件発明の電子カルテないしは電子カルテ作成装置においては、対象者本人を撮影して電子カルテに挿入することが想定されていないので、いずれかの雛形映像ファイルによって対象者の様子を表現しきらなければならないからである。図１１、図１２に観察目的の階層化構造及び、観察目的の網羅の具体例として、本発明の介助対象者の電子カルテにおける観察目的に関する階層マップの一例を示す。なお、当該階層マップは、紙面の都合上、二図に分離している。すなわち、図１１、図１２は、図中の（Ａ）でお互い連続する。
【００３５】
（雛形映像ファイルを用いる利点）
本実施形態の電子カルテ作成装置において雛形映像を用いる利点は、前述したように、対象者の状態などを映像として具体的に示しつつ保存するデータ容量の膨大化を抑制するためである。映像は文字と比較してそこから得られる情報量が多く、かつ閲覧者の記憶にも残り易い。しかし、対象者ごとに映像を記録していては、蓄積するデータ容量が膨大になる。一方、通常、対象者に対する観察目的はある程度決まっており、各観察目的において想定され得る対象者の様子も有限である。そこで、このような有限の対象者の様子を雛形映像によって網羅しておけば、対象者ごとに映像を記録する必要はなくなり、データ容量の軽減できる。以上の理由により、本実施形態の電子カルテ作成装置では雛形映像を用いている。データ容量の軽減の具体的内容として最も効果的なものは電子カルテに含まれる雛形映像を電子カルテごとに記録するのでなく、雛形映像ファイルは１セットだけ準備し、実際の電子カルテには準備されたセット中のどの雛形映像が対象者の様子を表すかを示す雛形映像識別子を記録しておくという方法である。本件発明における「雛形映像ファイルを電子カルテに格納する」という処理は電子カルテに雛形映像ファイルを関連付ける処理を含む趣旨である。
【００３６】
ファイル保持部のハードウェア構成は、記憶媒体などからなる。前述のように、想定される対象者の様子を網羅するためには、複数の雛形映像ファイルを保持する必要があることから、ファイル保持部の記憶容量は大きいほどよい。特に、後述するように雛形映像が動画の場合には、ファイル保持部の記憶容量は１０ＧＢ以上あることが好ましい。
【００３７】
（選択入力受付部の構成）
「選択入力受付部」（０２０２）とは、保持されている雛形映像ファイルを対象者識別情報と関連付けて電子カルテ作成者に選択させるように構成されている。
【００３８】
・「対象者識別情報」とは、対象者の電子カルテを特定できる情報をいう。対象者の電子カルテを特定できるものであれば、情報の内容については特に限定はしない。例えば、対象者の氏名と住所の組み合わせ、対象者の氏名と生年月日から構成される情報、対象者の健康保険証番号や介護保険証番号、若しくは対象者ごとに割り当てられる識別ＩＤが挙げられる。管理面や操作面を考慮すれば、対象者識別情報としては健康保険証番号や介護保険証番号、若しくは識別ＩＤが好ましい。識別ＩＤとは、例えば、数字、文字、記号、若しくはそれらの組み合わせによって構成される識別コード番号や、バーコード、２次元コードのような図形コードなどが該当する。
【００３９】
・「電子カルテ作成者」とは、医師や歯科医師に留まらず、看護士又はケア・マネージャ、電子カルテ入力オペレーターなど広く医療、介護業務に従事し、かつ守秘義務を課せられた者を含む。特に、本実施形態における電子カルテ作成者は、その対象者の様子を直接的に、若しくは間接的に観察できる者が望ましい。複数の雛形映像の選択肢から対象者の様子を最も的確に表現している雛形映像を選択できるのは、実際に観察した者だけだからである。なお、守秘義務を課せられた者でなければならない理由は、電子カルテは対象者の個人情報を記録したものだからである。
【００４０】
・「雛形映像ファイルを対象者識別情報と関連付けて電子カルテ作成者に選択させる」とは、対象者識別情報によって特定される電子カルテ内の観察目的に関して、当該対象者の様子として最も適合する雛形映像ファイルを電子カルテ作成者に選択させることをいう。
【００４１】
選択の方法は、例えば、各観察目的で想定され得る対象者の様子を選択肢として文字、アイコン、及び／又は映像で列挙し、その対象者に最も適合する選択肢を電子カルテ作成者に選択させるようにすればよい。当該選択肢が映像の場合は、サムネイル画像にすると表示がスピーディーにできるため便利である。また、映像は、実際の雛形映像ファイルの映像をプレビューできるようにしてもよい。特に雛形映像ファイルが動画の場合には、電子カルテ作成者が対象者の様子をより正確に把握できることから好ましい。プレビュー映像は、列挙された選択肢を示す文字、アイコン及び／又は映像などをクリック選択することなどで表示されるようにすればよい。
【００４２】
図１３を用いて上記選択方法をより具体的に説明する。図１３は、選択入力受付部におけるディスプレイ画面にであって、佐藤一郎氏の「移動・動作」（１３０１）における「移動手段」（１３０２）に関しての対象者の様子を選択する画面を示している。対象者の様子を表現する選択肢としては図１にも挙げたように、「自力通常走行」、「自力杖走行」、「自力歩行器走行」、「半介助走行」、「車椅子自力」、「車椅子半介助」、「車椅子全介助」などの選択肢が列挙されている。電子カルテ作成者は、これらの中で、対象者の様子に最も適合する選択肢を、観察結果から判断して選択する。この図では、選択方法として適合する選択肢のチェックボックス（１３０３）にポインタ（１３０４）を合わせてクリックする例を示している。図１３では、「車椅子自力」を選択した例を示しているが、もし、ここでいずれの選択肢が対象者の様子により適合するかが判断できないような場合には、それぞれの選択肢に関連付けられた映像プレビューアイコン（１３０５ａ〜ｇ）をクリックする。それによって、図１４に示すようなプレビュー映像がプレビュー画面（１３０６）に出力される。図１３の１３０６で示すプレビュー映像は、１３０５ｅの映像プレビューアイコンをクリックした時の映像である。なお、図１４の各図下の符号は、図１３におけるアイコンの符号に対応するものである。電子カルテ作成者は、当該プレビューによって実際の雛形映像を確認し、より正確に対象者の様子を表現している選択肢を選択することができる。なお雛形ファイルで表現しきれない点を電子カルテにおいて強調したい場合に対応して雛形映像ファイルのプレビュー画面を利用して動作を編集できるようにしても良い。例えば、ある姿勢をとったときに現れる特有の癖などは雛形ファイルでカバーしきれない場合もあるからである。より具体的には、両手をついたときにはかならず顔面が天を仰ぐ姿勢になるとか、左手をついて右手を離すと右手に震えが生じる、とかいった特有の癖がある場合に対応するためである。この場合には電子カルテ作成装置の選択入力受付部は、ＣＧを比較的簡単な操作で作ることができる機能を有していると良い。例えば、前記例では両手をついた姿勢となったときに編集モードに入り、頭の部分をドラッグドロップ操作などで後ろ側に倒す操作をすることで、その動作が雛形映像に反映されるように構成されているとよい。
【００４３】
前記ファイル保持部と選択入力受付部は、インターネットやイントラネットなどのネットワークを介して接続されていてもよい。当該両部間の通信は、有線、無線を問わない。また、この場合、当該両部は１対１対応であることを要しない。つまり、一のファイル保持部に複数の選択入力受付部が接続されていても構わない。例えば、複数の端末を選択入力受付部とし、それらと接続されたサーバをファイル保持部とする場合が該当する。このようなネットワークを介して二つの部を接続する方法は、ファイル保持部を一元的に管理できることから、雛形映像ファイルの更新などが容易となることや、端末の記憶媒体の負荷が軽減できるなどの利点がある。
【００４４】
選択入力受付部のハードウェア構成は、実行プログラムを記憶するためのＨＤＤや不揮発性メモリなどの記憶媒体、前記実行プログラムを実行するための場であるメインメモリ、前記実行プログラムに従って演算処理を行うＣＰＵ、雛形映像ファイルを選択するための入力デバイス、ディスプレイ、Ｉ／Ｏなどが該当する。
【００４５】
（格納部の構成）
「格納部」（０２０３）とは、選択入力受付部にて選択された雛形映像ファイルを電子カルテに格納するように構成されている。
【００４６】
・「選択入力受付部にて選択された雛形映像ファイルを電子カルテに格納する」とは、選択された雛形映像ファイルデータそのものを電子カルテデータの所定の場所に埋め込むことを言う。又は電子カルテデータと所定の場所に１セット準備されている雛形映像ファイルとを関連付ける処理をすることであっても良い。このようにして、雛形映像ファイルが格納された電子カルテは、本実施形態の電子カルテ作成装置内の不揮発性メモリ、又は外付ハードディスクドライブなどの外部記憶装置に保持される。
【００４７】
閲覧者は、本実施形態によって作成された電子カルテの雛形映像閲覧画面で、カルテ作成者によって選択された対象者の様子を閲覧できる。本発明の閲覧画面の一例を図１５に示す。この図では、左カラムに観察目的及び対象者の様子が示され、右画面でそのときの雛形映像（ここでは動画）の一画面を示している。これによって、閲覧者は、当該対象者が移動の際には車椅子を使用し、自力移動はできるものの、右腕が麻痺していることから車椅子を操作は左腕のみで行うことが映像として把握できる。
【００４８】
このような閲覧は、閲覧者が閲覧したい観察目的を選択することにより、その観察目的における対象者の様子を表示するか、又はスライドショーのように連続表示すればよい。スライドショーの場合は、図１６で示すように、電子カルテに含まれる選択された全雛形映像を、それがいずれの観察目的における対象者の様子なのかがわかるようにして（図１６a〜ｃでは左カラムが該当する）連続して出力すればよい。当該対象者の状態を短時間で大まかに把握する際に便利である。
【００４９】
<実施形態１：ハードウェア構成>
図１７に示すのは、本実施形態の電子カルテ作成装置におけるハードウェア構成の一例である。本実施形態の電子カルテ作成装置の構成要素である各部は、ハードウェアとソフトウェアの両方、又はいずれかによって構成される。この図に示す電子カルテ作成装置（１７００）は、ＣＰＵ（１７０１）、揮発性メモリ（１７０２）、不揮発性メモリ（１７０３）、雛形映像ファイル保存用不揮発性メモリ（１７０４）、入力デバイス（１７０５）、ディスプレイ（１７０６）、Ｉ／Ｏ（１７０７）、これらを接続するシステムバス（１７０８）、及び周辺装置（図示せず）などで構成されるハードウェアと、それらのハードウェアを制御するためのソフトウェアを有する。なお、雛形映像ファイル保存用不揮発性メモリは、大容量化したＮＡＮＤフラッシュメモリのほか、ＨＤＤなどの磁気記録媒体やＤＶＤなどの光学記録媒体などでも良い。ソフトウェアとしては、メモリ上に展開されたプログラムを順次実行することで、メモリ上のデータや、インターフェースを介して入力されるデータの加工、保存、出力などにより各部の機能が実現される。以下、本実施形態の電子カルテ作成装置のハードウェア構成を、例を挙げて具体的に説明する。
【００５０】
図２で示したファイル保持部（０２０１）は、雛形映像ファイル保存用不揮発性メモリ（１７０４）に該当する。また図２で示した選択入力受付部（０２０２）は、「入力デバイス」（１７０５）に該当する。また図２で示した格納部（０２０３）は、ＣＰＵ（１７０１）、揮発性メモリ（１７０２）、不揮発性メモリ（１７０３）、Ｉ／Ｏ（１７０７）などに該当する。ここで、例えば医師などの電子カルテ作成者により入力デバイス（１７０５）が操作され、電子カルテ作成用のアプリケーションの起動命令が入力される。すると、ＣＰＵ（１７０１）は、不揮発性メモリ（１７０３）に格納された格納実行プログラムを揮発性メモリ（１７０２）に読出し、そのプログラムにしたがって雛型映像ファイルが格納された電子カルテの作成処理を以下のように実行する。
【００５１】
まず、ＣＰＵ（１７０１）は、図１や図３〜図１０に示すようなＧＵＩ（グラフィカル・ユーザー・インターフェース）画面をディスプレイ（１７０６）に表示する。そして図３などで示すＧＵＩを利用して入力デバイス（１７０５）にて入力された、対象者の氏名や性別、生年月日などの情報を利用して電子カルテデータを作成し、揮発性メモリに格納する。また、このように作成された電子カルテに格納する雛型映像ファイルを特定するため、図１に示すようなＧＵＩを利用して入力された雛型映像ファイルの選択情報も揮発性メモリ（１７０２）の所定アドレスに格納される。すると、ＣＰＵ（１７０１）は論理演算処理を行い、その選択情報に合致する雛型映像ファイルを、雛型映像ファイル保存用不揮発性メモリ（１７０４）から揮発性メモリ（１７０２）に読み出す。そして、ＣＰＵ（１７０２）の演算処理によって前述の電子カルテデータと雛型映像ファイルとのデータ合成処理が実行され、雛型映像ファイルが電子カルテに格納される。このようにして作成された雛型映像ファイル格納済み電子カルテのデータは、例えばＩ／Ｏ（１７０７）から出力され、外部のデータベースに保持される、という具合である。
【００５２】
<実施形態１：処理の流れ>
図１８は、本実施形態の電子カルテ作成装置における処理の流れの一例である。この図で示すように、電子カルテ作成装置では、まず、対象者の様子を観察目的別に表現するための複数の雛形映像ファイルを記録する（Ｓ１８０１：ファイル記録工程）。当該工程は、原則として本実施形態の電子カルテ作成装置を実施する際に初回にのみ行えば足り、２回目以降は次の工程から処理を開始することが可能である。ただし、雛形映像ファイルの更新、追加、削除などを行う際には、２回目以降の実施の際であっても本工程から行うようにする。次に、前記ファイル記録工程で記録された複数の雛形映像ファイルを対象者識別情報と関連付けて電子カルテ作成者の選択を受付ける（Ｓ１８０２：選択入力受付工程）。続いて、前記選択入力受付工程にて受付けた選択された雛形映像ファイルを電子カルテに格納する（Ｓ１８０３：格納工程）。以上の処理の流れによって、本実施形態の電子カルテ作成装置が実行される。
【００５３】
<実施形態１：効果>
本実施形態の電子カルテ作成装置とその作成方法によれば、予め存在する複数の雛形映像ファイルから対象者の様子に最も適合する雛形映像ファイルを電子カルテ作成者の観察結果から選択すればよいので、電子カルテに対象者の様子を迅速に記録することができる。すなわち、対象者ごとに様々な様子を撮影する労力や時間を要しない。また、雛形映像ファイルの選択は、電子カルテ作成者の観察記憶に基づいて行う事が可能である。それ故、記録のために対象者にその様子を行わせる必要はなく、対象者に対して不要な負担をかけることもない。
【００５４】
本実施形態の電子カルテ作成装置とその作成方法によって作成された電子カルテによれば、選択された雛形映像ファイルにより対象者の様子をシミュレーションできる。映像イメージとして把握できることから、介護者間や医療従事者間で対象者の様子の正確かつ効率的な伝達と共有化が可能となる。その結果、各人のイメージの差異に基づいた介護、診療上の事故を未然に防ぐことができる。
【００５５】
<<実施形態２>>
【００５６】
<実施形態２：概要>
実施形態２は、介護対象者用電子カルテ作成装置及びその作製方法に関する。本実施形態の介護対象者用電子カルテ作成装置の構成、ハードウェア構成、処理の流れ、及び効果は、前記実施形態１の電子カルテ作成装置のそれと基本的に同様である。介護対象者用電子カルテ作成装置とそれによって作成された電子カルテによれば、例えば、介護対象者が自宅から特別養護老人ホーム入所する際にも、訪問担当者と老人ホームスタッフとの間で、当該介護対象者のＡＤＬなどの情報を正確に伝達し、また共有することができる。
【００５７】
<実施形態２：構成>
図１９は、本実施形態の介護対象者用電子カルテ作成装置における機能ブロック図の一例である。この図で示すように本実施形態の介護対象者用電子カルテ作成装置（１９００）は、ファイル保持部（１９０１）と、選択入力受付部（１９０２）と、格納部（１９０３）とを有する。
【００５８】
本実施形態の「ファイル保持部」（１９０１）は、介護対象者の様子を介護対象行動別に表現するための複数の雛形動画映像ファイルを保持する。また、本実施形態の「選択入力受付部」（１９０２）は、保持されている雛形動画映像ファイルを対象者識別情報と関連付けて電子カルテ作成者に選択させる。さらに、本実施形態の「格納部」（１９０３）は、選択入力受付部にて選択された雛形動画映像ファイルを電子カルテに格納する。このように、本実施形態の介護対象者用電子カルテ作成装置は、各部とも基本的には前記実施形態１の電子カルテ作成装置と同様である。本実施形態において特徴のある点は、各部とも電子カルテの対象者が介護対象者となっていること、観察目的が介護対象行動となっていること、そして雛形映像ファイルが介護対象者の様子を表現するための雛形動画映像ファイルとなっていることである。以下、これらの特徴ある点について説明する。
【００５９】
・「介護対象者」とは、高齢者や身障者のように生活上、他人の介護を必要とする被介護者を意味する。
【００６０】
・「介護対象行動」とは、介護対象者のＡＤＬをいう。例えば、「移動・動作」、「食事」、「排泄」、「入浴」、「整容」などが該当する。介護対象行動は、複数の介護対象者の様子を表現する選択肢から構成され、いずれか一又は二以上が電子カルテ作成者により選択される。介護対象行動は必要に応じて階層化されていてもよい。階層化によって介護対象行動を細分化することは介護対象者の様子をより具体的に表現する上で、好ましいからである。例えば、「入浴」という介護対象行動の場合、下層のサブカテゴリーとして「入浴方法」、「洗髪」、「洗顔」、「着脱」、「移動」などの介護対象行動が挙げられる。なお、「介護対象者の様子」とは、基本的には前記実施形態１の「対象者の様子」と同様であり、介護対象者に関する具体的様子をいう。当該介護対象者の様子は、本実施形態の介護対象者用電子カルテ作成装置においては、介護対象行動ごとの選択肢として表される。具体的な例を挙げると、上記「入浴」及び「入浴方法」の介護対象行動の場合には、「一般浴」、「座位補助入浴」、「仰臥位入浴」、「自立補助入浴」などが該当する。
【００６１】
・「雛形動画映像」とは、前記実施形態１の雛形映像における動画映像を意味する。「雛形動画映像ファイル」とは、雛形動画映像を記録したファイルをいう。その他の構成については、前記雛形映像及び雛形映像ファイルと同様であるので、説明は省略する。
【００６２】
<実施形態２：ハードウェア構成>
本実施形態のハードウェア構成については、前記実施形態１のハードウェア構成と同様であるので説明を省略する。ただし、実施形態１のハードウェア構成における「電子カルテ作成装置」を「介護対象者用電子カルテ作成装置」に、「雛形映像ファイル」を「雛形動画映像ファイル」に、「対象者」を「介護対象者」に置き換えるものとする。
【００６３】
<実施形態２：処理の流れ>
図２０は、本実施形態の介護対象者用電子カルテ作成装置における処理の流れの一例である。この図で示すように、介護対象者用電子カルテ作成装置の処理の流れも前記実施形態１の電子カルテ作成装置とその基本は変わらない。すなわち、まず、介護対象者の様子を介護対象行動別に表現するための複数の雛形動画映像ファイルを記録する（Ｓ２００１：ファイル記録工程）。次に、前記ファイル記録工程で記録された複数の雛形動画映像ファイルを対象者識別情報と関連付けて電子カルテ作成者の選択を受付ける（Ｓ２００２：選択入力受付工程）。続いて、前記選択入力受付工程にて受付けた選択された雛形動画映像ファイルを電子カルテに格納する（Ｓ２００３：格納工程）。以上の処理の流れによって、本実施形態の介護対象者用電子カルテ作成装置が実行される。
【００６４】
<実施形態２：効果>
本実施形態の介護対象者用電子カルテ作成装置とその作成方法によれば、電子カルテ作成者が介護対象者に適合する雛形動画映像を選択することで、その介護対象者のＡＤＬを迅速、かつ正確に電子カルテ内に記録することができる。また、雛形映像ファイルの選択は、電子カルテ作成者の観察記憶に基づいて行う事が可能である。それ故、記録のために介護対象者にその様子を行わせる必要はなく、介護対象者に対して不要な負担をかけない。
【００６５】
本実施形態の介護対象者用電子カルテ作成装置とその作成方法によって作成された電子カルテによれば、介護対象者のＡＤＬをシミュレーション表示できることから、当該介護対象者のＡＤＬ情報の正確性や伝達性が飛躍的に高まる。また、介護者間で同じ情報イメージを共有することができる。これらによって、介護作業上の事故を未然に防ぐことができる。
【００６６】
<<実施形態３>>
【００６７】
<実施形態３：概要>
実施形態３は、介護対象者用電子カルテ作成装置及びその作製方法に関する。本実施形態の介護対象者用電子カルテ作成装置の構成、ハードウェア構成、処理の流れ、及び効果は、前記実施形態２の介護対象者用電子カルテ作成装置のそれと基本的に同様である。本実施形態が前記実施形態２の介護対象者用電子カルテ作成装置において相違する点は、格納部において、選択入力受付部にて選択された雛形動画映像ファイルを識別する雛形動画映像ファイル識別情報を電子カルテに格納する点である。動画映像は、一般に記憶容量が大きいことから、雛形動画ファイルを直接電子カルテに格納すると電子カルテあたりのデータ容量が大きくなる。本実施形態によれば、選択された雛形動画映像ファイルは、雛形動画映像ファイル識別情報を介して電子カルテと関連付けられていることから、電子カルテあたりのデータ容量を軽減することができる。
【００６８】
<実施形態３：構成>
図２１は、本実施形態の介護対象者用電子カルテ作成装置における機能ブロック図の一例である。この図で示すように本実施形態の介護対象者用電子カルテ作成装置（２１００）は、ファイル保持部（２１０１）と、選択入力受付部（２１０２）と、格納部（２１０３）とを有する。つまり、本実施形態の基本構成は前記実施形態２の介護者用電子カルテ作成装置と同様である。
【００６９】
各部の構成においても、本実施形態の「選択入力受付部」（２１０２）は、前記実施形態２の「選択入力受付部」（１９０２）と変わらないことから、その説明を省略する。ここでは本実施形態において最も特徴的な構成を有する「ファイル保持部」（２１０１）と格納部（２１０３）について以下で詳細に説明をする。
【００７０】
（ファイル保持部の構成）
本実施形態の「ファイル保持部」（２１０１）は、介護対象者の様子を介護対象行動別に表現するための複数の雛形動画映像ファイルをその識別情報と関連付けて保持するように構成されている。すなわち、本実施形態のファイル保持部は、雛形動画映像ファイル識別情報を雛形動画映像ファイルと関連付けた状態で保持している点において、前記実施形態２のファイル保持部とは異なる。
【００７１】
・「雛形動画映像ファイル識別情報」とは、個々の雛形動画映像ファイルを識別し、特定できる情報をいう。各雛形動画映像ファイルには異なる雛形動画映像ファイル識別情報が割り当てられている。雛形動画映像ファイル識別情報としては、雛形動画映像ファイル名や識別ＩＤであればよい。識別ＩＤとは、例えば、数字、文字、記号、若しくはそれらの組み合わせによって構成される識別コード番号が該当する。あるいは雛型動画映像ファイルの格納アドレスなども挙げられる。
【００７２】
（格納部の構成）
本実施形態の「格納部」（２１０３）は、選択入力受付部にて選択された雛形動画映像ファイルを識別する雛形動画映像ファイル識別情報を電子カルテに格納するように構成されている。
【００７３】
・「雛形動画映像ファイル識別情報」とは、個々の雛形動画映像ファイルを識別し、特定できる情報をいう。各雛形動画映像ファイルには異なる雛形動画映像ファイル識別情報が割り当てられている。雛形動画映像ファイル識別情報としては、雛形動画映像ファイル名や識別ＩＤであればよい。識別ＩＤとは、例えば、数字、文字、記号、若しくはそれらの組み合わせによって構成される識別コード番号が該当する。
【００７４】
本実施形態の格納部（２１０３）は、電子カルテ作成者が選択入力受付部（２１０２）で選択した雛形動画映像ファイルから、それに関連付けられた雛形動画映像ファイル識別情報を抽出し、当該識別情報を電子カルテに格納する点が前記実施形態の介護対象者用電子カルテ作成装置とは異なる。つまり、本実施形態で作成された電子カルテ内には雛形動画映像ファイル本体は存在せず、そのキーとなる雛形動画映像ファイル識別情報が格納されている。当該格納方法は、例えば、雛形動画映像ファイル識別情報をタグで囲み、電子カルテの所定の場所に埋め込めばよい。当該タグは、ＨＴＭＬ、ＸＭＬ、ＳＧＭＬなどのマークアップ言語を使用すればよい。このようにタグによって電子カルテ内に雛形動画映像ファイルのリンクを埋め込むことで、電子カルテあたりのデータ容量を増大させることなく、電子カルテと介護対象者の雛形動画映像とを関連付けることができる。本実施形態の介護対象者用電子カルテ作成装置によって作成された電子カルテは、ＨＤＤなどの記憶媒体で構成される電子カルテ保持部（図示せず）などに記録しておけばよい。あるいは、後述する実施形態４の介護対象者用電子カルテ閲覧装置に出力してもよい。なお、本実施形態で作成された電子カルテで雛形動画映像を閲覧するには、後述する実施形態４の介護対象者用電子カルテ閲覧装置が必要となる。なお、雛形ファイルの一部に編集を加えてユニークな映像ファイルとした場合にはそのユニークな映像ファイル部分に関してはファイル本体を電子カルテに含めて保存する。保存されるユニークな部分を新たに雛形映像ファイルとして更新するように処理しても良い。
【００７５】
<実施形態３：ハードウェア構成>
本実施形態のハードウェア構成については、前記実施形態１のハードウェア構成とその基本は同様である。そこで、ここでは、前記実施形態１のハードウェア構成と同一のもの（ただし、実施形態１のハードウェア構成における「電子カルテ作成装置」を「介護対象者用電子カルテ作成装置」に、「雛形映像ファイル」を「雛形動画映像ファイル」に、「対象者」を「介護対象者」に置き換えるものとする。）に関してはその説明を省略し、本実施形態において特徴的な構成であるファイル保持部（２１０１）と格納部（２１０３）について実施形態１と同じ図１７を用いて以下で説明をする。
【００７６】
まず、前記実施形態１同様、電子カルテ作成用アプリケーションの起動命令の受付によって、ディスプレイ（１７０６）へのＧＵＩの表示や、入力デバイス（１７０５）から入力された雛型動画映像ファイルの選択情報の揮発性メモリへの格納などが実行される。ここで前記実施形態１では、選択情報を利用して雛型（動画）映像ファイルの読み出し、及び電子カルテデータへの格納処理が実行される。しかし、前述の通り動画ファイルは一般的にデータサイズが大きいため、電子カルテに動画ファイルをそのまま格納した場合データ保持容量を圧迫することになる。そこで、本実施例では、ＣＰＵ（１７０１）は選択情報を利用し、ファイルタイトルやその他識別ＩＤなどの雛型動画映像ファイル識別情報を雛型（動画）映像ファイル保存用不揮発性メモリ（１７０４）から揮発性メモリ（１７０２）に読み出す。そしてＣＰＵ（１７０１）は、読み出した雛型動画映像ファイル識別情報を、例えばマークアップ言語を利用して電子カルテデータに埋め込み、電子カルテに雛型動画映像ファイル識別情報を格納する、という具合である。そして、その雛型動画映像ファイル識別情報格納済み電子カルテの閲覧に際しては、後述するように雛型動画映像ファイル識別情報をリンク情報として、雛型動画映像ファイルのデータベースに格納されている雛型動画映像ファイルを電子カルテ内にて再生することになる。
【００７７】
<実施形態３：処理の流れ>
図２２は、本実施形態の介護対象者用電子カルテ作成装置における処理の流れの一例である。この図で示すように、本実施形態の処理の流れは、まず、介護対象者の様子を介護対象行動別に表現するための複数の雛形動画映像ファイルをその識別情報と関連付けて記録する（Ｓ２２０１：ファイル記録工程）。次に、前記ファイル記録工程で記録された複数の雛形動画映像ファイルを対象者識別情報と関連付けて電子カルテ作成者の選択を受付ける（Ｓ２２０２：選択入力受付工程）。続いて、前記選択入力受付工程にて受付けた選択された雛形動画映像ファイルを識別する雛形動画映像ファイル識別情報を電子カルテに格納する（Ｓ２２０３：格納工程）。以上の処理の流れによって、本実施形態の介護対象者用電子カルテ作成装置が実行される。
【００７８】
<実施形態３：効果>
本実施形態の介護対象者用電子カルテ作成装置によれば、選択された雛形動画映像ファイルは、雛形動画映像ファイル識別情報を介して電子カルテと関連付けられていることから、電子カルテあたりのデータ容量を軽減することができる。これによって、電子カルテのデータの膨大化を抑制することができる。
【００７９】
<<実施形態４>>
【００８０】
<実施形態４：概要>
実施形態４は、実施形態３に記載の介護対象者用電子カルテ作成装置にて作成された介護対象者用電子カルテを閲覧するための介護対象者用電子カルテ閲覧装置及びその閲覧方法に関する。
【００８１】
<実施形態４：構成>
図２３は、本実施形態の介護対象者用電子カルテ閲覧装置における機能ブロック図の一例である。この図で示すように本実施形態の介護対象者用電子カルテ閲覧装置（２３００）は、ファイル保持部（２３０１）と、電子カルテ取得部（２３０２）と、抽出部（２３０３）とを有する。ここで、ファイル保持部（２３０１）については、前記実施形態３のファイル保持部と同一の構成であることから、説明を省略する。ここでは、本実施形態に特徴的な電子カルテ取得部（２３０２）と抽出部（２３０３）の構成を説明する。なお、「閲覧」とは、人が視認できる状態にすることをいう。閲覧手段は限定はしない。例えば、ディスプレイ、プロジェクタ、プリンタ（動画を静止画のコマ映像として出力する）からの出力が挙げられる。本実施形態の場合、閲覧対象が動画映像であることや、閲覧を迅速かつ簡便に行うことを考慮すると、閲覧手段はディスプレイで行うことが好ましい。
【００８２】
（電子カルテ取得部）
「電子カルテ取得部」（２３０２）は、実施形態３に記載の介護対象者用電子カルテ作成装置にて作成された電子カルテを取得するように構成されている。電子カルテの取得先としては、電子カルテ保持部（図示せず）などが挙げられる。「電子カルテ保持部」とは、実施形態３に記載の介護対象者用電子カルテ作成装置にて作成された電子カルテを記録し、保持するように構成された部である。当該電子カルテ保持部は、実施形態３の介護対象者用電子カルテ作成装置、本実施形態の介護対象者用電子カルテ閲覧装置のいずれが有していても、また、電子カルテ保持部は着脱可能であり、実施形態３の介護対象者用電子カルテ作成装置、本実施形態の介護対象者用電子カルテ閲覧装置のいずれにも装着できるように構成されていても構わない。
【００８３】
電子カルテの取得方法は、電子カルテ保持部から取得する場合には、本実施形態の介護対象者用電子カルテ閲覧装置に対象者識別情報などを入力し、当該対象者識別情報に基づいて電子カルテ保持部を検索し、それと合致する対象者識別情報を有する電子カルテを取得するようにすればよい。
【００８４】
本実施形態の介護対象者用電子カルテ閲覧装置における電子カルテ取得部が、前記実施形態３の介護対象者用電子カルテ作成装置にて作成された電子カルテを取得するために、両装置を一の装置として統合することができる。その場合、ファイル保持部、及び電子カルテ保持部は、両装置で共有すると便利である。また、両装置が独立している場合には、それぞれの装置をケーブル若しくは無線ＬＡＮなどを介して連結するか、又は前述のように電子カルテ保持部を着脱可能にしていずれの装置にも装着できるようにすることで、電子カルテの出入力が可能となる。これらの場合も、ファイル保持部、及び電子カルテ保持部を両装置で共有すると便利である。
【００８５】
（抽出部）
「抽出部」（２３０３）は、取得した電子カルテに含まれる雛形動画映像ファイル識別情報をキーとしてファイル保持部を検索して合致する雛形動画ファイルを抽出するように構成されている。
【００８６】
・本実施形態の「雛形動画映像ファイル識別情報」は、前記実施形態３のそれと同義である。また、「キーとして」とは、手掛かりとして用いて、の意味である。
【００８７】
抽出部での雛形動画映像ファイルの抽出の具体例を図２３を用いて説明する。図２３では、介護対象者識別情報γの介護対象者の電子カルテにおいて、介護対象行動１の雛形動画映像ファイル識別情報が「ｃ」となっている。抽出部では、この雛形動画映像ファイル識別情報「ｃ」（２３０４）をキーとして、同一の雛形動画映像ファイル識別情報をファイル保持部から検索する。合致する雛形動画映像ファイル識別情報があった場合（２３０５）には、その雛形動画映像ファイル識別情報と関連付けて保存されている雛形動画映像ファイル「Ｃ」（２３０６）を抽出し、介護対象行動１と関連付けさせる。以上のようにして、介護対象行動ごとに目的の雛形動画映像ファイルを抽出できる。
【００８８】
抽出された雛形動画ファイルは、電子カルテ内で、その雛形動画映像ファイル識別情報を含んでいた介護対象行動の雛形動画ファイルとして出力される。本実施形態の電子カルテには、通常、複数の介護対象行動が記録されており、原則として最少カテゴリーの介護対象行動ごとに雛形動画映像ファイル識別情報が含まれている。そこで、抽出部で抽出された各介護対象行動の雛形動画映像ファイルを、それがいずれの各介護対象行動かがわかるようにして連続出力できるようにしてもよい。
【００８９】
<実施形態４：ハードウェア構成>
図２４に示すのは、本実施形態の介護者用電子カルテ閲覧装置におけるハードウェア構成の一例である。本実施形態の電子カルテ作成装置の構成要素である各部は、ハードウェアとソフトウェアの両方、又はいずれかによって構成される。この図に示す介護者用電子カルテ閲覧装置（２４００）は、ＣＰＵ（２４０１）、揮発性メモリ（２４０２）、不揮発性メモリ（２４０３）、雛形動画映像ファイル保存用不揮発性メモリ（２４０４）、入力デバイス（２４０５）、ディスプレイ（２４０６）、Ｉ／Ｏ（２４０７）、これらを接続するシステムバス（２４０８）、及び周辺装置（図示せず）などで構成されるハードウェアと、それらを制御するためのソフトウェアを有する。なお、雛形映像ファイル保存用不揮発性メモリは、大容量化したＮＡＮＤフラッシュメモリのほか、ＨＤＤなどの磁気記録媒体やＤＶＤなどの光学記録媒体などでも良い。ソフトウェアとしては、メモリ上に展開されたプログラムを順次実行することで、メモリ上のデータや、インターフェースを介して入力されるデータの加工、保存、出力などにより各部の機能が実現される。以下、本実施形態の電子カルテ閲覧装置のハードウェア構成を、例を挙げて具体的に説明する。
【００９０】
まず、図２３で示したファイル保持部（２３０１）は、雛形映像ファイル保存用不揮発性メモリ（２４０４）に該当する。このファイル保持部のハードウェア構成は実施形態３のファイル保持部のハードウェア構成と同じことからここではその説明を省略する。また、図２３で示した電子カルテ取得部（２３０２）は、Ｉ／Ｏ（２４０７）や揮発性メモリ（２４０２）、あるいは不揮発性メモリ（２４０３）などに該当する。また図２３で示した抽出部（２３０３）は、ＣＰＵ（２４０１）、揮発性メモリ（２４０２）、不揮発性メモリ（２４０３）などに該当する。
【００９１】
ここで、電子カルテの閲覧希望者により入力デバイス（２４０５）が操作され、電子カルテ閲覧用のアプリケーションの起動命令が入力される。すると、ＣＰＵ（２４０１）は、不揮発性メモリ（２４０３）に格納された閲覧実行プログラムを揮発性メモリ（２４０２）に読出し、そのプログラムにしたがって電子カルテの閲覧処理を以下のように実行する。まず、ＣＰＵ（２４０１）は、ＧＵＩ画面をディスプレイ（２４０６）に表示し、閲覧を希望する対象者の名前などの識別情報を入力させる。そして、取得した対象者の名前など識別情報を利用して、外部ネットワーク上のデータベースや自身内部のＨＤＤ内など電子カルテの取得元から該識別情報に合致する電子カルテを取得し、揮発性メモリ（２４０２）に格納する。
【００９２】
続いて、ＣＰＵ（２４０１）は、揮発性メモリ（２４０２）に格納した電子カルテの例えばマークアップ言語を参照し、その雛型動画映像ファイルの識別情報を読み出す。そしてＣＰＵ（２４０１）は、その雛型動画映像ファイルの識別情報を検索キーとして論理演算処理を行い、該識別情報と関連付けられた雛型映像ファイルを、雛型動画映像ファイル保存用不揮発性メモリ（２４０４）から揮発性メモリ（２４０２）に読み出す。
【００９３】
そして、読み出した雛型動画映像ファイルと電子カルテと、を所定の表示フォーマットにしたがって図示しない表示処理回路による合成、重畳などの処理が実行され、ディスプレイ（２４０６）に雛型動画映像を含む電子カルテが表示される、という具合である。
【００９４】
<実施形態４：処理の流れ>
図２５は、本実施形態の介護対象者用電子カルテ閲覧装置における処理の流れの一例である。この図で示すように、本実施形態の処理の流れは、まず、介護対象者の様子を介護対象者行動別に表現するための複数の雛形動画映像ファイルをその識別情報と関連付けて記録する（Ｓ２５０１：ファイル記録工程）。次に、実施形態３の介護対象者用電子カルテ作成装置にて作成された電子カルテを取得する（Ｓ２５０２：電子カルテ取得工程）。対象とする介護対象者の電子カルテを取得するためには、当該介護対象者の介護対象者識別情報などを介護対象者用電子カルテ閲覧装置に入力すればよい。そして、取得した電子カルテにおいて介護対象行動ごとに含まれる雛形動画映像ファイル識別情報をキーとしてファイル記録工程（Ｓ２５０１）で記録された雛形動画映像ファイルを検索して合致する雛形動画ファイルを抽出する（Ｓ２５０３：抽出工程）。前述のようにファイル記録工程（Ｓ２５０１）で記録された雛形動画映像ファイルは、固有の雛形動画映像ファイル識別情報と共に保持されている。電子カルテにおいて一の介護対象行動に含まれる雛形動画映像ファイル識別情報と合致し、抽出された雛形動画映像ファイルがその介護対象行動の雛形動画映像ファイルとなる。よって、本実施形態の介護対象者用電子カルテ閲覧装置において当該介護対象行動が選択された際には、抽出された雛形動画映像ファイルをディスプレイから出力すればよい。以上の処理の流れによって、前記実施形態３の介護対象者用電子カルテ作成装置で作成された電子カルテを閲覧することができる。
【００９５】
<実施形態４：効果>
本実施形態の介護対象者用電子カルテ閲覧装置によれば、前記実施形態３の介護対象者用電子カルテ作成装置で作成された電子カルテを閲覧することができる。当該電子カルテは、雛形動画映像ファイル識別情報を有しており、雛形動画映像ファイルそのものはファイル保持部から電送により抽出される。それゆえ、一の電子カルテあたりの記録容量は少ない。電子カルテの閲覧に際して、操作上のレスポンスを迅速化することができる。
【図面の簡単な説明】
【００９６】
【図１】実施形態１の電子カルテ作成装置において、ある対象者の電子カルテ作成する際の雛形映像ファイル選択入力画面を説明するための図
【図２】実施形態１の電子カルテ作成装置における機能ブロック図
【図３】本発明の電子カルテにおける対象者の基本データ画面
【図４】本発明の電子カルテにおける対象者の身体計測画面
【図５】本発明の電子カルテにおける対象者の家族情報画面
【図６】本発明の電子カルテにおける対象者の薬剤管理画面
【図７】本発明の電子カルテにおける対象者の医療情報画面
【図８】本発明の電子カルテにおける対象者の病院情報画面
【図９】本発明の電子カルテにおける対象者の週間介護画面
【図１０】本発明の電子カルテにおける対象者のデイ・スケジュール画面
【図１１】本発明の介助対象者の電子カルテにおける観察目的に関する階層マップを説明する図（１）
【図１２】本発明の介助対象者の電子カルテにおける観察目的に関する階層マップを説明する図（２）（図１１の続き）
【図１３】電子カルテ作成者に雛形映像ファイルを選択させる選択方法を説明する図
【図１４】図１３で示した各プレビュー用アイコンの選択によってプレビュー画面に表示される雛形映像
【図１５】本発明の閲覧画面を説明する図
【図１６】本発明の電子カルテに含まれる選択された雛形映像を閲覧画面を連続表示することを説明する図
【図１７】実施形態１の電子カルテ作成装置におけるハードウェア構成図
【図１８】実施形態１の電子カルテ作成装置における処理の流れを説明する図
【図１９】実施形態２の介護対象者用電子カルテ作成装置における機能ブロック図
【図２０】実施形態２の介護対象者用電子カルテ作成装置における処理の流れを説明する図
【図２１】実施形態３の介護対象者用電子カルテ作成装置における機能ブロック図
【図２２】実施形態３の介護対象者用電子カルテ作成装置における処理の流れを説明する図
【図２３】実施形態４の介護対象者用電子カルテ閲覧装置における機能ブロック図
【図２４】実施形態４の介護者用電子カルテ閲覧装置におけるハードウェア構成図
【図２５】実施形態４の介護対象者用電子カルテ閲覧装置における処理の流れを説明する図
【図２６】雛形映像が動画の場合に、対象者の様子を一つの動作として完結したものとすることを説明する図
【符号の説明】
【００９７】
０１０１：「移動・手段」の選択ボタン
０１０２：対象者の様子の選択肢
０１０３ａ〜ｇ：雛形映像プレビュー用アイコン
０１０４：雛形映像プレビュー用画面
０１０５：「行動」の選択ボタン
０１０６：選択チェックボックス
０１０７：観察目的欄（大カテゴリー）
０１０８：観察目的欄（サブカテゴリー）
０１０９：対象者識別情報
【図１】
2008134792.tif 000003
【図２】
2008134792.tif 000004
【図３】
2008134792.tif 000005
【図４】
2008134792.tif 000006
【図５】
2008134792.tif 000007
【図６】
2008134792.tif 000008
【図７】
2008134792.tif 000009
【図８】
2008134792.tif 000010
【図９】
2008134792.tif 000011
【図１０】
2008134792.tif 000012
【図１１】
2008134792.tif 000013
【図１２】
2008134792.tif 000014
【図１３】
2008134792.tif 000015
【図１４】
2008134792.tif 000016
【図１５】
2008134792.tif 000017
【図１６】
2008134792.tif 000018
【図１７】
2008134792.tif 000019
【図１８】
2008134792.tif 000020
【図１９】
2008134792.tif 000021
【図２０】
2008134792.tif 000022
【図２１】
2008134792.tif 000023
【図２２】
2008134792.tif 000024
【図２３】
2008134792.tif 000025
【図２４】
2008134792.tif 000026
【図２５】
2008134792.tif 000027
【図２６】
2008134792.tif 000028